(57)【要約】【課題】圧縮機械部軸受ボス部の変形を防止し、信頼性の高い電動圧縮機を提供する。【解決手段】本電動圧縮機は、中心から放射状に配置された歯部４１ａ１に集中巻の巻線４１ｂが施され、圧縮機械部３の軸受３１に固定された電動機固定子４１と、この固定子４１の外周側に配置された永久磁石回転子４２を具備してなる電動圧縮機において、固定子鉄心４１ａに設けられた圧入孔４１ａ３を介して、固定子鉄心４１ａが軸受ボス部３１ａに圧入されるとともに、圧入孔４１ａ３の周囲近傍に打ち抜き孔４１ａ４が設けられる。【選択図】  図２
2006077743.tif 000002
【特許請求の範囲】
【請求項１】
巻線が施され、圧縮機構部の軸受に固定された電動機固定子と、この電動機固定子の外周側に配置された永久磁石回転子を具備してなる電動圧縮機において、前記電動機固定子の固定子鉄心に設けられた圧入孔を介して、前記固定子が前記軸受の軸受ボス部に圧入されるとともに、前記圧入孔の周囲近傍に打ち抜き孔が設けられたことを特徴とする電動圧縮機。
【請求項２】
前記固定子鉄心の前記打ち抜き孔が設けられていない部位に対向する前記圧入孔の周囲あるいは軸受ボス部の外周に切り欠きが設けられたことを特徴とする請求項１に記載の電動圧縮機。
【発明の詳細な説明】
【技術分野】
【０００１】
本発明は電動圧縮機に係り、特に固定子鉄心と圧縮機構部軸受ボス部の圧入構造を改良した電動圧縮機に関する。
【背景技術】
【０００２】
従来、外旋回転子形電動圧縮機としては、例えば特許文献１に示す構造のものがある。
【０００３】
この種の外旋回転子形電動圧縮機は圧縮機構部の軸受に電動機固定子を取り付け、固定子の外周側に傘状の回転子が配置され、電動機固定子は内周部が圧縮機構部の軸受ボス部に圧入により固定されている。
【０００４】
しかしながら、従来の電動圧縮機は、固定子鉄心を圧縮機構部の軸受ボス部に圧入する際に圧入応力によって軸受ボス部１２ａが変形し、回転軸と摺動する軸受ボス部の内周面の変形によって回転軸と軸受のクリアランスが変化し、摺動性が不安定となって信頼性が低下する不具合があった。また、圧入代を調整することで変形を軽減することもできるが、圧入の保持カが弱くなり、脱落や空回りの危険性がある。さらに、両者の径の公差を縮小することにより上記の問題を回避できるが、高精度の加工が必要となる等改良の余地がある。
【特許文献１】特開２００１−２６８８３２号公報
【発明の開示】
【発明が解決しようとする課題】
【０００５】
本発明は上述した事情を考慮してなされたもので、圧縮機構部の軸受ボス部の変形を防止し、信頼性の高い電動圧縮機を提供することを目的とする。
【課題を解決するための手段】
【０００６】
上述した目的を達成するため、本発明に係る電動圧縮機は、巻線が施され、圧縮機構部の軸受に固定された電動機固定子と、この固定子の外周側に配置された永久磁石回転子を具備してなる電動圧縮機において、固定子鉄心に設けられた圧入孔を介して、前記固定子が前記軸受の軸受ボス部に圧入されるとともに、前記圧入孔の周囲近傍に打ち抜き孔が設けられたことを特徴とする。
【発明の効果】
【０００７】
本発明に係る電動圧縮機によれば、圧縮機構部軸受ボス部の変形を防止し、信頼性の高い電動圧縮機を提供することができる。
【発明を実施するための最良の形態】
【０００８】
以下、本発明に係る電動圧縮機の一実施形態について添付図面を参照して説明する。
【０００９】
図１は本発明の一実施形態に係る電動圧縮機の縦断面図である。
【００１０】
図１に示すように、本実施形態に係る電動圧縮機１は、２シリンダ型のロータリ圧縮機であり、密閉容器２を有し、この密閉容器２内の底部には、シリンダ３ａおよびこのシリンダ３ａ内を偏心回転するローラ３ｂを具備し、流体を圧縮する圧縮機構部３が設けられている。この圧縮機構部３には、主軸受３１および副軸受３３に軸支され、ローラ３ｂが取り付けられた回転軸３２が設けられ、この回転軸３２は、この圧縮機構部３を作動させるためのものであって、密閉容器２の軸線方向に延在して配設されている。主軸受３１は、回転軸３２の外周に沿って軸方向に円筒状に突出して軸受ボス部３１ａを形成している。この軸受ボス部３１ａの外周には、後述する電動機４の一部を構成する筒状の固定子４１がその内周を嵌合させて固定されている。
【００１１】
一方、軸受ボス部３１ａを貫通して上方に突出した回転軸３２の上端部には、傘型回転子４２が固定されている。この傘型回転子４２は、回転軸３２の先端部から半径方向外方に拡張するフランジ部４２ａと、このフランジ部４２ａの外周から固定子４１の外周面に沿って下方に延出した円筒部４２ｂとから成るフレーム部材４２ｄと、このフレーム部材４２ｄの円筒部４２ｂの内周面に設けられ、多数の電磁鋼板を積層して形成した環状の回転子鉄心４２ｅと、この回転子鉄心４２ｅの内周面に設けられ、樹脂ボンド磁石等からなる永久磁石４２ｃとを有し、永久磁石形回転子とされている。そして、端子４３を介して給電され、固定子４１の廻りに傘型回転子４２が回転する電動機４を構成している。
【００１２】
図２および図３に示すように、固定子４１は多数の電磁鋼板が積層されて形成され、中心部のヨーク部４１ｅと、このヨーク部４１ｅから放射状に配置された磁極歯部４１ａ１とを有する固定子鉄心４１ａと、この固定子鉄心４１ａの各磁極歯部４１ａ１にスロット開口部４１ａ２からボビン（絶縁部材）を介して集中巻された固定子コイル４１ｂとからなり、固定子コイル４１ｂの端部は口出線４１ｃを介してクラスタ４１ｄに接続されている。
【００１３】
また、固定子鉄心４１ａには、ヨーク部４１ｅの内周近傍すなわち軸受ボス部圧入孔４１ａ３の近傍に、軸受ボス部圧入孔４１ａ３の周囲に沿って円弧状の打ち抜き孔４１ａ４が、３個等間隔で設けられている。これにより、打ち抜き孔４１ａ４に対向して打ち抜き孔４１ａ４の内周側に位置するヨーク部４１ｅが薄肉になって変形しやすくなり、軸受ボス部３１ａに固定子鉄心４１ａを圧入する際に生じる圧入応力が、上記ヨーク部４１ｅの薄肉部の変形によって緩和される。この結果、軸受ボス部３１ａ２に大きな圧入応力が作用するのを防止でき、軸受ボス部３１ａ２変形を防止して信頼性を向上することができる。
【００１４】
なお、図４に示すように、固定子鉄心４１ａの打ち抜き孔４１ａ４が設けられていない部位に対向する軸受ボス部圧入孔４１ａ３の周囲に各々切り欠き４１ａ５を設けるようにしてもよく、また、図５に示すように、打ち抜き孔４１ａ４が設けられていない部位に対向する軸受ボス部３１ａの外周に各々切り欠き３１ａ１を設けるようにしてもよい。これにより、軸受ボス部３１ａ２の変形はさらに小さくなる。
【００１５】
また、符号５はボビン内周鍔部、符号６は絶縁ボビン外側鍔部である。
【００１６】
本実施形態の電動圧縮機は上記構造を有するので、電動圧縮機４の組み立て時、主軸受部３１の軸受ボス部３１ａを固定子鉄心４１ａの軸受ボス部圧入孔４１ａ１に圧入するが、軸受ボス部圧入孔４１ａ１の近傍にはこの軸受ボス部圧入孔４１ａ１の周囲に沿って円弧状の打ち抜き孔４１ａ４が設けられているので、軸受ボス部圧入孔４１ａ３の外周と打ち抜き孔４１ａ４間の幅狭部が図１中の矢印にように変形しやすくなり、軸受ボス部３１ａの変形を防止することができ、軸受３１の摺動性の安定した信頼性の高い電動圧縮機が実現し、さらに、軸受ボス部圧入孔４１ａ１および軸受ボス部３１ａの寸法精度により生じる圧入保持力のバラツキを小さくできる。
【００１７】
上記のように、本実施形態の電動圧縮機によれば、圧入孔を介して固定子鉄心が軸受ボス部に圧入されても、圧入孔の周囲近傍に打ち抜き孔が設けられているので、軸受ボス部の変形は防止され、軸受の摺動性の安定した信頼性の高い電動圧縮機を提供することができる。
【図面の簡単な説明】
【００１８】
【図１】本発明の一実施形態に係る電動圧縮機の縦断面図。
【図２】本発明の一実施形態に係る電動圧縮機の固定子の平面図。
【図３】本発明の一実施形態に係る電動圧縮機の固定子鉄心の平面図。
【図４】本発明の他の実施形態に係る電動圧縮機の固定子の平面図。
【図５】本発明の他の実施形態に係る電動圧縮機の固定子の平面図。
【図６】図５の電動圧縮機の軸受の平面図。
【符号の説明】
【００１９】
１…電動圧縮機、２…密閉容器、３…圧縮機構部、３１…軸受、３１ａ…軸受ボス部、３１ａ１…切り欠き、３２…回転軸、４…電動機、４１…電動機固定子、４１ａ…固定子鉄心、４１ａ２…コイル用溝、４１ａ４…打ち抜き孔、４１ａ１…歯部、４１ａ３…軸受ボス部圧入孔、４１ｂ…固定コイル、４２…傘型回転子、４２ａ…フランジ部、４２ｂ…円筒部、４２ｃ…永久磁石。
【図１】
2006077743.tif 000003
【図２】
2006077743.tif 000004
【図３】
2006077743.tif 000005
【図４】
2006077743.tif 000006
【図５】
2006077743.tif 000007
【図６】
2006077743.tif 000008